(57)【特許請求の範囲】
【請求項１】
予備値が既知の被測定物の相対向する端面間の寸法を測定する測長装置において、
前記被測定物の測長軸と一致した光軸を有し、且つ所定離隔距離をおいて配置された第一干渉手段及び第二干渉手段と、
前記各干渉手段でそれぞれ形成される干渉光の位相差を観察可能な第一観察手段及び第二観察手段と、を備え、
前記第一干渉手段は、所定のビーム径及び波長を持つ可干渉光を前記被測定物の測長方向に出射し、その一部を該被測定物の一端に入射させて反射光を戻し、且つその残りを該被測定物の脇を通過させて第二干渉手段に入射させ、
前記第二干渉手段は、前記可干渉光と同じビーム径及び波長を持つ可干渉光を前記被測定物の測長方向に出射し、その一部を該被測定物の他端に入射させて反射光を戻し、且つその残りを該被測定物の脇を通過させて前記第一干渉手段に入射させ、
また前記第一干渉手段は、前記被測定物の脇を通過してきた第二干渉手段からの可干渉光と、可干渉光である第一参照光とを重ね合わせて基準干渉光を得、且つ該第一干渉手段からの可干渉光を前記被測定物の一端に照射して得られた反射光と、可干渉光である第一参照光とを重ね合わせて測定干渉光を得、
また前記第二干渉手段は、前記被測定物の脇を通過してきた第一干渉手段からの可干渉光と、可干渉光である第二参照光とを重ね合わせて基準干渉光を得、且つ該第二干渉手段からの可干渉光を前記被測定物の他端に照射して得られた反射光と、可干渉光である第二参照光とを重ね合わせて測定干渉光を得、
前記第一観察手段は、前記第一干渉手段で得られた基準干渉光及び測定干渉光をそれぞれ干渉縞として同時に観察し、
前記第二観察手段は、前記第二干渉手段で得られた基準干渉光及び測定干渉光をそれぞれ干渉縞として、前記第一観察手段での観察と同時に観察し、
前記被測定物の相対向する端面間の予備値、並びに、前記第一観察手段で観察された基準干渉縞と測定干渉縞との位相差、及び前記第二観察手段で観察された基準干渉縞と測定干渉縞との位相差に基づいて、前記被測定物の相対向する端面間の寸法を求めることを特徴とする測長装置。
【請求項２】
請求項１記載の測長装置において、
前記所定のビーム径及び波長を持つ可干渉光を出射する一の光照射手段と、
前記光照射手段からの可干渉光を二分割し、一方の分割光を前記第一干渉手段に入射させ、他方の分割光を前記第二干渉手段に入射させる一の光分割手段と、を備え、前記一の光照射手段、前記第一干渉手段及び前記第二干渉手段で環状の干渉計を構成したことを特徴とする測長装置。
【請求項３】
請求項２記載の測長装置において、
前記光分割手段から前記第一干渉手段、前記被測定物の一端、前記第一干渉手段までの光路長をＬ１とし、
前記光分割手段から前記第二干渉手段、前記第一干渉手段までの光路長をＬ２とし、
前記光分割手段から前記第二干渉手段、前記被測定物の他端、前記第二干渉手段までの光路長をＬ３とし、
前記光分割手段から前記第一干渉手段、前記第二干渉手段までの光路長をＬ４とすると、
前記被測定物の相対向する端面間の寸法ＬＢは、下記の数式で表せることを特徴とする測長装置。
【数１】
ＬＢ＝λ／２{Ｎ４−Ｎ３＋Ｎ２−Ｎ１＋（ε４−ε３）＋（ε２−ε１）}
ただし、Ｌ１：λ（Ｎ１＋ε１）
Ｌ２：λ（Ｎ２＋ε２）
Ｌ３：λ（Ｎ３＋ε３）
Ｌ４：λ（Ｎ４＋ε４）
λ：前記光の波長
Ｎｉ（ｉ＝１〜４）：前記光路長Ｌｉを前記可干渉光の波長λで割ったときの商の自然数
εｉ（ｉ＝１〜４）：前記光路長Ｌｉを前記可干渉光の波長λで割ったときの商の端数である位相
（ε２−ε１）：前記第一観察手段で観察された基準干渉縞と測定干渉縞との位相差
（ε４−ε３）：前記第二観察手段で観察された基準干渉縞と測定干渉縞との位相差
【請求項４】
請求項１〜３のいずれかに記載の測長装置において、
前記各観察手段で観察された干渉縞の位相差を読取る読取手段と、
前記読取手段で得られた各干渉縞の位相差、及び前記被測定物の相対向する端面間の予備値に基づいて、前記被測定物の相対向する端面間の寸法を求める演算手段と、
を備えたことを特徴とする測長装置。
【請求項５】
請求項１〜４のいずれかに記載の測長装置において、
前記光源は、複数の異なる波長の可干渉光を発射し、
前記光分割手段と干渉手段間の光軸上に設けられ、前記可干渉光の波長に応じて、該光軸のずれを補正する光軸補正手段を備えたことを特徴とする測長装置。
【発明の詳細な説明】
【０００１】
【発明の属する技術分野】
本発明は測長装置、特に非密着光波干渉計を用いた測長装置の光学系構成部材の配置の改良に関する。
【０００２】
【従来の技術】
従来より、例えばブロックゲージ等の端度器は、長さの測定の基準として用いられる精度のよい標準器であり、数個を互いに密着すると、例えば１〜１０μｍ単位で任意の寸法を作りだすことができるので、例えば工場用長さ標準器として広く用いられている。
【０００３】
このような精度のよいゲージの検査には、より高い精度が要求され、例えば寸法を高分解能、非接触で測定できることから、光波干渉計を用いた測長装置が広く用いられている。これには干渉縞の位相（端数）を高い精度に求めることが必要である。
【０００４】
このために従来は、まずベースプレート面にブロックゲージの一端面を密着、つまりリンギングする。これをマイケルソン干渉計の一方の光路中に挿入し、前記ブロックゲージの他端及びベースプレート面で反射した光をそれぞれ、参照光と重ね合わせて干渉させ、各干渉縞を観測する。そして、各干渉縞の位相差と、ブロックゲージの相対向する端面間の予備値から、ブロックゲージの寸法を測定していた。
【０００５】
しかしながら、このリンギングはバラツキがあると、大きな誤差要因となり、リンギングをバラツキなく行うのは非常に熟練した技術が必要であり、非常に面倒であった。
このため、最近、このようなリンギングを用いることなく、測長が行える非密着光波干渉計を用いた測長が注目されている（特開平８−２７１２１６号等）。
【０００６】
一般的な非密着光波干渉計を用いた測長装置を図１に示す。
すなわち、同図に示す測長装置１０は、光源１２からのレーザ光をレンズ１４にて必要な大きさにコリメートする。このレーザ光１５はハーフミラー１６に向かい、ハーフミラー１６で参照鏡１８に向かうレーザ光と環状の干渉計２０に向かうレーザ光とに分けられる。
【０００７】
そして、環状干渉計２０に向かったレーザ光は、さらにハーフミラー２２で２つに分けられる。このレーザ光の一部は、反射ミラー２４、第一シャッタ２６を介してブロックゲージ２８の一端で反射した後、行きと同じ光路を戻る。あるいは反射ミラー３０、第二シャッタ３２を介してブロックゲージ２８の他端で反射した後、行きと同じ光路を戻る。
【０００８】
またブロックゲージ２８の脇を通りぬけたレーザ光は、再びハーフミラー１６に戻る。
ハーフミラー１６は、前述のような環状干渉計２０からのレーザ光と参照鏡１８で反射してきたレーザ光とを重ね合わせて干渉させ、その干渉光はスクリーン２６で干渉縞として観測される。
【０００９】
そして、ブロックゲージの相対向する端面間の予備値と、スクリーン２６で観測された干渉縞の各位相差（端数）に基づいて、ブロックゲージ２８の寸法を求める。ブロックゲージ２８の相対向する端面間の寸法ＬＢは、下記の数式で表せる。
【数２】
0003851160.tif 000002
ただし、Ｌ１：ハーフミラー２２−第一反射鏡２４−ブロックゲージ２８一端の往復光路長
Ｌ２：ハーフミラー２２−第二反射鏡３０−ブロックゲージ２８他端の往復光路長
Ｌ３：ハーフミラー２２−第一反射鏡２４−ゲージ２８の脇−第二反射鏡３０−ハーフミラー２２の光路長
Ｌ１：λ（Ｎ１＋ε１）
Ｌ２：λ（Ｎ２＋ε２）
Ｌ３：λ（Ｎ３＋ε３）
λ：レーザ光１５の波長
Ｎｉ：前記光路長Ｌｉを前記可干渉光の波長λで割ったときの商の自然数
εｉ：前記光路長Ｌｉを前記可干渉光の波長λで割ったときの商の端数（位相）
【００１０】
そして、前記位相差（ε３−ε２），（ε３−ε１）の測定を行なう際、シャッタ２６，３２はブロックゲージ２８の測定面と同じ面積のレーザ光１５を遮断する役割を果たし、位相差（ε３−ε２）を測定する時は、第一シャッタ２６を閉じ、第二シャッタ３２を開く。
【００１１】
一方、位相差（ε３−ε１）を測定する時は、第一シャッタ２６を開け、第二シャッタ３２を閉じる。このようなシャッタ２６，３２の切換えにより、前記位相差（ε３−ε２），（ε３−ε１）の測定を、２回に分けて行う。
そして、ブロックゲージの相対向する端面間の予備値と、測定された各位相差に基づいて、ブロックケージ２８の相対向する端面間の寸法を求める。
【００１２】
このような非密着光波干渉計を用いた測長装置１０では、リンギングを行う必要がないので、該リンギングのバラツキによる大きな誤差要因を排除することができる。
【００１３】
【発明が解決しようとする課題】
しかしながら、前述のような非密着光波干渉計を用いた測長装置にあっても、被測定物の測長方向の一端の測定と他端の測定を、シャッタを切換えて、２回に分けて行わなければならない。
【００１４】
このため、前述のような非密着光波干渉計を用いたのでは、測定時間がかかり、作業が面倒であるので、測定時間、作業性の面について、また被測定物の両側の観測に時間差があるため、その間に起きる環境変化の影響を受けることについて、改善の余地が残されていた。
【００１５】
本発明は前記従来技術の課題に鑑みなされたものであり、その目的は高精度な測長が短時間で及び容易に行える、非密着光波干渉計を用いた測長装置を提供することにある。
【００１６】
【課題を解決するための手段】
前記目的を達成するために本発明にかかる測長装置は、予備値が既知の被測定物の相対向する端面間の寸法を測定する測長装置において、前記被測定物の測長軸と一致した光軸を有し、且つ所定離隔距離をおいて配置された第一干渉手段及び第二干渉手段と、前記各干渉手段でそれぞれ形成される干渉光の位相差を観察可能な第一観察手段及び第二観察手段と、を備える。
【００１７】
そして、前記第一干渉手段は、所定のビーム径及び波長を持つ可干渉光を前記被測定物の測長方向に出射し、その一部を該被測定物の一端に入射させて反射光を戻し、且つその残りを該被測定物の脇を通過させて第二干渉手段に入射させる。
【００１８】
前記第二干渉手段は、前記可干渉光と同じビーム径及び波長を持つ可干渉光を前記被測定物の測長方向に出射し、その一部を該被測定物の他端に入射させて反射光を戻し、且つその残りを該被測定物の脇を通過させて前記第一干渉手段に入射させる。
【００１９】
また前記第一干渉手段は、前記被測定物の脇を通過してきた第二干渉手段からの可干渉光と可干渉光である第一参照光とを重ね合わせて基準干渉光を得、且つ該第一干渉手段からの可干渉光を前記被測定物の一端に照射して得られた反射光と可干渉光である第一参照光とを重ね合わせて測定干渉光を得る。
【００２０】
また前記第二干渉手段は、前記被測定物の脇を通過してきた第一干渉手段からの可干渉光と可干渉光である第二参照光とを重ね合わせて基準干渉光を得、且つ該第二干渉手段からの可干渉光を前記被測定物の他端に照射して得られた反射光と可干渉光である第二参照光とを重ね合わせて測定干渉光を得る。
【００２１】
前記第一観察手段は、前記第一干渉手段で得られた基準干渉光及び測定干渉光をそれぞれ干渉縞として同時に観察する。
前記第二観察手段は、前記第二干渉手段で得られた基準干渉光及び測定干渉光をそれぞれ干渉縞として、前記第一観察手段での観察と同時に観察する。
【００２２】
そして、前記被測定物の相対向する端面間の予備値、並びに、前記第一観察手段で観察された基準干渉縞と測定干渉縞との位相差、及び前記第二観察手段で観察された基準干渉縞と測定干渉縞との位相差に基づいて、前記被測定物の相対向する端面間の寸法を求めることを特徴とする。
【００２３】
本発明において用いられる被測定物としては、例えば予備値の概略値がわかっているブロックゲージ等の端度器が挙げられる。
【００２４】
なお、本発明においては、一の光照射手段と、一の光分割手段と、を備え、前記一の光照射手段、前記第一干渉手段及び前記第二干渉手段で環状の干渉計を構成することが好適である。
【００２５】
ここで、前記光照射手段は、前記所定ビーム径及び所定波長を持つ可干渉光を出射する。
【００２６】
また、前記光分割手段は、前記光照射手段からの可干渉光を二分割し、一方の分割光を前記第一干渉手段に入射させ、他方の分割光を前記第二干渉手段に入射させる。
【００２７】
また、本発明においては、前記光分割手段から前記第一干渉手段、前記被測定物の一端、前記第一干渉手段までの光路長をＬ１とし、前記光分割手段から前記第二干渉手段、前記第一干渉手段までの光路長をＬ２とし、前記光分割手段から前記第二干渉手段、前記被測定物の他端、前記第二干渉手段までの光路長をＬ３とし、前記光分割手段から前記第一干渉手段、前記第二干渉手段までの光路長をＬ４とすると、
前記被測定物の相対向する端面間の寸法ＬＢは、下記の数式で表せる。
【数３】
ＬＢ＝λ／２{Ｎ４−Ｎ３＋Ｎ２−Ｎ１＋（ε４−ε３）＋（ε２−ε１）}
ただし、Ｌ１：λ（Ｎ１＋ε１）
Ｌ２：λ（Ｎ２＋ε２）
Ｌ３：λ（Ｎ３＋ε３）
Ｌ４：λ（Ｎ４＋ε４）
λ：前記可干渉光の波長
Ｎｉ（ｉ＝１〜４）：前記光路長Ｌｉを前記可干渉光の波長λで割ったときの商の自然数
εｉ（ｉ＝１〜４）：前記光路長Ｌｉを前記可干渉光の波長λで割ったときの商の端数（位相）
（ε２−ε１）：前記第一観察手段で観察された基準干渉縞と測定干渉縞との位相差
（ε４−ε３）：前記第二観察手段で観察された基準干渉縞と測定干渉縞との位相差
また、本発明においては、読取手段と、演算手段と、を備えることが好適である。
【００２８】
ここで、前記読取手段は、前記各観察手段で観察された干渉縞の位相差を読取る。
【００２９】
また、前記演算手段は、前記読取手段で得られた各干渉縞の位相差、及び前記被測定物の相対向する端面間の予備値に基づいて、前記被測定物の相対向する端面間の寸法を求める。
【００３０】
さらに、本発明においては、前記光源は、複数の異なる波長の光干渉光を発射し、光軸補正手段を備えることも好適である。
【００３１】
ここで、前記光軸補正手段は、前記光分割手段と干渉手段間の光軸上に設けられ、前記可干渉光の波長に応じて、該光軸のずれを補正する。
【００３２】
ここにいう複数の異なる波長の光干渉光としては、例えば、異なる波長の複数のレーザを切換えて得られるレーザ光、多波長レーザの波長を変化させて得られるレーザ光等をいう。
【００３３】
【発明の実施の形態】
以下、図面に基づいて本発明の好適な一実施形態について説明する。
図２には本発明の一実施形態にかかる測長装置の概略構成が示されている。なお、本実施形態では、被測定物として長方形断面のブロックゲージ等の端度器を想定し、予備値が既知のブロックゲージの相対向する端面間の寸法を測定する例について説明する。前記従来技術と対応する部分には符号１００を加えて示し説明を省略する。
【００３４】
同図に示す測長装置１１０は、一の光照射手段１４０と、第一ハーフミラー（光分割手段）１４２と、前記ブロックゲージ（被測定物）１２８の測長軸と一致した光軸を有し、且つ所定離隔距離をおいて配置された第二ハーフミラー（第一干渉手段）１４４及び第三ハーフミラー（第二干渉手段）１５０を備える。
【００３５】
また、前記第二ハーフミラー１４４、第三ハーフミラー１５０でそれそれ形成される干渉光の位相差を観察可能な第一スクリーン（第一観察手段）１４８及び第二スクリーン（第二観察手段）１５４を備える。
【００３６】
また、同図に示すように第一参照鏡（第一干渉手段）１４６、及び第二参照鏡（第二干渉手段）１５２を光学系構成部材として備える。
【００３７】
このように第一ハーフミラー１４２、第二ハーフミラー１４４、第三ハーフミラー１５０により、環状の干渉計１２０を構成している。
【００３８】
前記光照射手段は、単一波長レーザ（光源）１１２と、コリメートレンズ１１４と、反射鏡１５６を備える。そして、前記レーザ１１２から出射された所定波長λを持つレーザ光（可干渉光）は、レンズ１１４により必要な大きさのビーム径にコリメートされ、レーザ光１１５として、反射鏡１５６を介して第一ハーフミラー１４２に入射される。
【００３９】
このレーザ光１１５のビーム径の大きさは、該ビームの一部がブロックゲージ１２８の端部に入射し、且つその残りがブロックゲージ１２８の脇部を通過して、第二ハーフミラー１４４、或いは第三ハーフミラー１５０に入射することのできるように、ブロックゲージ１２８の測定端面より大きい。
【００４０】
第一ハーフミラー１４２は、反射鏡１５６からのレーザ光１１５を図中、時計回り光路と半時計回り光路とに二分割し、各分割光を環状に構築された干渉計１２０に入射させる。
【００４１】
すなわち、一方の分割光を第二ハーフミラー１４４に入射させ、他方の分割光を第三ハーフミラー１５０に入射させる。
【００４２】
そして、第二ハーフミラー１４４は、第一ハーフミラー１４２からのレーザ光１１５を二分割し、その一方をブロックゲージ１２８の測長方向の、図中右方に向けて出射し、他方を第一参照鏡１４６に入射させる。第二ハーフミラー１４４によりブロックゲージ１２８の測長方向の、図中右方に向けて照射された光の一部は、ブロックゲージ１２８の左端面１２８ａに入射する。その残りの光は、ブロックゲージ１２８の一端１２８ａに入射することなく、その脇を通過して、第三ハーフミラー１５０に入射する。
【００４３】
一方、第一ハーフミラー１４２により分割された他方の分割光は、第三ハーフミラー１５０に入射する。この第三ハーフミラー１５０は、第一ハーフミラー１４２からのレーザ光１１５を二分割し、その一方をブロックゲージ１２８の測長方向の、図中左方に向けて照射し、他方を第二参照鏡１５２に入射させる。第三ハーフミラー１５０によりブロックゲージ１２８の図中左方に向けて出射された光の一部は、ブロックゲージ１２８の右端面１２８ｂに入射する。その残りの光はブロックゲージ１２８の右端面１２８ｂに入射することなくその脇を通過して、第二ハーフミラー１４４に入射する。
そして、第一スクリーン１４８では、前記位相差（ε２−ε１）が観測される。
【００４４】
すなわち、第二ハーフミラー１４４により第一参照鏡１４６に向けて出射された光は、第一参照鏡１４６で反射し、再度第二ハーフミラー１４４に戻る。
【００４５】
このため、第二ハーフミラー１４４では、ブロックゲージ１２８の脇を通過してきた第三ハーフミラー１５０からのレーザ光（光路Ｌ２）と第一参照鏡１４６からのレーザ光（第一参照光）とを重ね合わせて干渉させる。この第一基準干渉光は、第一スクリーン１４８で第一基準干渉縞として観測される。この観測と同時に、この第二ハーフミラー１４４では、第二ハーフミラー１４４によりブロックゲージ１２８の左端面１２８ａに向けて出射され、該左端面１２８ａで反射し、再度第二ハーフミラー１４４に戻った光（光路Ｌ１）と、第一参照鏡１４６からのレーザ光（第一参照光）とを重ね合わせて干渉させる。この第一測定干渉光は第一スクリーン１４８に入射され、第一スクリーン１４８で第一測定干渉縞として、第一基準干渉縞と同時に観測される。
【００４６】
一方、第二スクリーン１５４では、前記位相差（ε４−ε３）が観測される。
【００４７】
すなわち、第三ハーフミラー１５０により、第二参照鏡１５２に向けて照射された光は、第二参照鏡１５２で反射し、再度第三ハーフミラー１５０に戻る。
【００４８】
このため、第三ハーフミラー１５０では、ブロックゲージ１２８の脇を通過してきた第二ハーフミラー１４４からのレーザ光（光路Ｌ４）と第二参照鏡１５２からの反射光（第二参照光）を重ね合わせて干渉させる。この第二基準干渉光は、第二スクリーン１５４に入射され、第二スクリーン１５４で第二基準干渉縞として観測される。この観測と同時に、この第三ハーフミラー１５０では、第三ハーフミラー１５０によりブロックゲージ１２８の右端面１２８ｂに向けて出射され、該右端面１２８ｂで反射し、再度第三ハーフミラー１５０に戻った光（光路Ｌ３）と、第二参照鏡１５２からのレーザ光（第二参照光）とを重ね合わせて干渉させる。この第二測定干渉光は第二スクリーン１５４に入射され、第二スクリーン１５４で第二測定干渉縞として、第二基準干渉縞と同時に観測される。
【００４９】
このように本実施形態では、各光学系構成部材を前述のように配置することにより、第一スクリーン１４８での基準干渉縞及び測定干渉縞の観察と、第二スクリーン１５４での基準干渉縞及び測定干渉縞の観察とを同時に行っている。
【００５０】
ところで、従来の非密着光波干渉計を用いた測長装置では、ブロックゲージの測長方向の左端面と右端面の測定を、それぞれシャッタを切り換えて２回に分けて行う必要がある。しかしながら、このように測定を２回に分けて行っていたのでは、測定に時間がかかり面倒であった。特に異なる波長での測定を行なう際は、この問題は特に深刻であった。
【００５１】
これに対し、本実施形態では、前述のように第一ハーフミラー１４２の後段の一方にブロックゲージ１２８の左端面１２８ａの干渉縞を測定するための、第二ハーフミラー１４４、第一参照鏡１４６、第一スクリーン１４８を設けている。かつその他方にブロックゲージ１２８の右端面１２８ｂの干渉縞を測定するための、第三ハーフミラー１５０、第二参照鏡１５２、第二スクリーン１５４を設けている。
【００５２】
このため、本実施形態では、第一スクリーン１４８での干渉縞の観測と第二スクリーン１５４での干渉縞の観測を同時に行うことができるので、従来の非密着光波干渉計を用いた測長装置に比較し、測定回数を大幅に低減することができる。これにより、リンギングを必要とせず高精度ではあるが、従来の非密着干渉計を用いた測長装置では極めて困難であった、測定時間の大幅な短縮化と操作性の向上を図ることができる。
【００５３】
また、両側を同時に観測することにより、両側で測定される結果が同じ環境によるものとなり、測定中の環境変化の影響を受けることなく、高精度な測定が行える。
【００５４】
さらに、従来の非密着光波干渉計を用いた測長装置では、光学系の構成上の問題により環状干渉計の時計周りの光と半時計周りの光の干渉を防ぐことができないため、各測定が適正に行えない場合がある。これに対し、本実施形態では、環状干渉計の時計周りの光と半時計周りの光の測定は、第一干渉手段と第二干渉手段が完全にセパレートしているので、これらの光の干渉が問題になることはない。これにより測定がより適正に行える。
【００５５】
以下、ブロックゲージの予備値と、前述のようにして同時期に観測された第一スクリーンでの各干渉縞及び第二スクリーンでの各干渉縞とに基づいて、ブロックゲージ１２８の寸法ＬＢを求める方法について説明する。
【００５６】
すなわち、本実施形態では、第一スクリーン１４８の後段に第一読取手段１７０を設けている。そして、第一読取手段１７０は、図３（Ａ）に示すように第一スクリーン１４８で観察された第一基準干渉縞１８４と第一測定干渉縞１８６との位相差（ｂ１／ａ）を読取り、その読取結果はコンピュータ１７２の演算手段１７４に入力され、前記位相差情報（ε２−ε１）情報として測定データ記憶部１７６に記憶される。
【００５７】
また、本実施形態では、第二スクリーン１５４の後段に第二読取手段１７８を設けている。そして、第二読取手段１７８は、同図（Ｂ）に示すように第二スクリーン１５４で観察された第二基準干渉縞１８８と第二測定干渉縞１９０との位相差（ｂ２／ａ）を同時に読取る。その読取結果は演算手段１７４に入力され、前記位相差情報（ε４−ε３）情報として測定データ記憶部１７６に記憶される。
【００５８】
また、本実施形態では、コンピュータ１７２が、演算情報記憶部１８０を備え、前記ブロックゲージの予備値の情報や、後述する合致法を行うためのプログラム等が予め格納されている。例えば第一ハーフミラー１４２と第二ハーフミラー１４４間の光路長をａ、第二ハーフミラー１４４とブロックゲージ１２８の左端面１２８ａ間の光路長をｂ、第一ハーフミラー１４２と第三ハーフミラー１５０間の光路長をｃ、第三ハーフミラー１５０とブロックゲージ１２８の右端面１２８ｂ間の光路長をｄとしている。
【００５９】
そして、演算手段１７４は、演算情報記憶部１８０に格納してあるブロックゲージの予備値の情報等と、前記測定データ記憶部１７６に格納してある前記位相差情報（ε４−ε３），（ε２−ε１）に、例えば合致法を用いてブロックゲージ１２８の測長方向の相対向する端面間の寸法ＬＢを以下のように求める。
【００６０】
すなわち、第一ハーフミラー１４２と第二ハーフミラー１４４間の光路長をａ、第二ハーフミラー１４４とブロックゲージ１２８の左端面１２８ａ間の光路長をｂ、第一ハーフミラー１４２と第三ハーフミラー１５０間の光路長をｃ、第三ハーフミラー１５０とブロックゲージ１２８の右端面１２８ｂ間の光路長をｄとすると、前記光路長Ｌ１〜Ｌ４は次のように表せる。
【００６１】
Ｌ１＝ａ＋２ｂ                                             …  （１）
Ｌ２＝ｂ＋ｃ＋ｄ＋ＬＢ                                     …  （２）
Ｌ３＝ｃ＋２ｄ                                             …  （３）
Ｌ４＝ａ＋ｂ＋ｄ＋ＬＢ                                     …  （４）
上記数式１，２より
Ｌ２−Ｌ１＝（ｂ＋ｃ＋ｄ＋ＬＢ）−（ａ＋２ｂ）              …  （５）
上記数式３，４より
Ｌ４−Ｌ３＝（ａ＋ｂ＋ｄ＋ＬＢ）−（ｃ＋２ｄ）              …  （６）
上記数式５，６より
Ｌ２−Ｌ１＋Ｌ４−Ｌ３＝（ａ＋２ｂ＋ｃ＋２ｄ＋２ＬＢ）−（ａ＋２ｂ＋ｃ＋２ｄ）＝２ＬＢ   …  （７）
【００６２】
これを変形すると、ブロックゲージ１２８の測長方向の相対向する左端面１２８ａと右端面１２８ｂ間の寸法ＬＢは、下記の数式で表せる。
ＬＢ＝１／２{（Ｌ２−Ｌ１）＋（Ｌ４−Ｌ３）}            …  （８）
ただし、Ｌ１：第一ハーフミラー１４２から第二ハーフミラー１４４、ブロックゲージ１２８の左端面１２８ａ、第二ハーフミラー１４４までの光路
Ｌ２：第一ハーフミラー１４２から第三ハーフミラー１５０、ブロックゲージ１２８の脇、第二ハーフミラー１４４までの光路
Ｌ３：第一ハーフミラー１４２から第三ハーフミラー１５０、ブロックゲージ１２８の右端面１２８ｂ、第三ハーフミラー１５０までの光路
Ｌ４：第一ハーフミラー１４２から第二ハーフミラー１４４、ブロックゲージ１２８の脇、第三ハーフミラー１５０まで光路
【００６３】
したがって、前記光路Ｌ１，Ｌ２，Ｌ３，Ｌ４の光路長は、下記の数式で表せる。
Ｌ１＝λ（Ｎ１＋ε１）                                      …  （９）
Ｌ２＝λ（Ｎ２＋ε２）                                      …（１０）
Ｌ３＝λ（Ｎ３＋ε３）                                      …（１１）
Ｌ４＝λ（Ｎ４＋ε４）                                      …（１２）
ただし、λ：前記レーザ光の波長
Ｎ１〜Ｎ４：前記各光路長Ｌｉを波長λで割ったときの商の自然数
ε１〜ε４：前記各光路長Ｌｉを波長λで割ったときの商の端数（位相）
（ε２−ε１）： 前記測定データ記憶部に格納してある、第一スクリーン１４８で観察された各干渉縞のずれ（ｂ１／ａ）より求めた位相差情報
（ε４−ε３）：測定データ記憶部に格納してある、第二スクリーン１５４で観察された各干渉縞のずれ（ｂ２／ａ）より求めた位相差情報
【００６４】
数式８に数式９〜１２を代入すると、下記の数式で表せる。
0003851160.tif 000003
【００６５】
したがって、ブロックゲージ１２８の寸法ＬＢは、前記第一スクリーン１４８で観測された各干渉縞より求めた位相差情報（ε２−ε１）と第二スクリーン１５４で観測された各干渉縞より求めた位相差情報（ε４−ε３）と、既知の測定波長λと、ブロックゲージの予備値を用い、上数式１３により得られる。
【００６６】
以上のように本実施形態にかかる測長装置１１０によれば、ブロックゲージ１２８の周囲の時計周りの光と半時計周りの光の干渉が問題になることはなく、第一スクリーンでの干渉縞の観察と、第二スクリーンでの観察を同時期に行うことができる。
【００６７】
したがって、各スクリーンで観測された各干渉縞より求められた各位相差と、ブロックゲージの予備値に基づいて、ブロックゲージの両端面間の寸法、平行度を実時間で測定することができる。これにより、リンギングを行う必要がない非密着光波干渉系を用いた測定装置では、従来極めて困難であった作業性の向上、測定時間の高速化を図ることができる。
【００６８】
また、両側を同時に観測することにより、両側で測定される結果が同じ環境によるものとなり、測定中の環境変化の影響を受けることなく、高精度な測定が行える。
【００６９】
さらに、従来の非密着光波干渉計を用いた測長装置では、光学系の構成上の問題により環状干渉計の時計周りの光と半時計周りの光の干渉を防ぐことができないため、各測定が適正に行えない場合がある。これに対し、本実施形態では、環状干渉計の時計周りの光と半時計周りの光の測定は、第一干渉手段と第二干渉手段が完全にセパレートしているので、これらの光の干渉が問題になることはない。これにより測定がより適正に行える。
【００７０】
また、一のレーザ光１１５を、一の第一ハーフミラー１４２で二分割し、ブロックゲージ１２８の左端面の測定と右端面の測定の同時測定に用いているので、同一条件の可干渉光をこれらの同時測定に用いることができる。
【００７１】
また、本実施形態のような非密着光波干渉系を用いた測長装置を用いることにより、ベースプレートにブロックゲージをリンギングする必要がないので、勿論、高精度な測定が行なえる。
【００７２】
なお、本発明は前記構成に限定されるものではなく、発明の要旨の範囲内で種々の変形が可能である。
【００７３】
例えば、前記構成では、予備値等の概略値が分かっているブロックゲージの寸法を測定した例について説明したが、そのほか、任意の被測定物に適用することができる。
【００７４】
また、前記構成では、一の被測定寸法を用いた例について説明したが、そのほか、前記干渉縞より、端面の平面度、及び端面間の平行度の測定に適用することもできる。
【００７５】
また、前記構成では、スクリーンで観察された干渉縞を読取る例について説明したが、一般的には、前記スクリーンに代えて、ＣＣＤカメラ、或いはその他の光電変換手段により干渉縞を読取るものを適用することができる。
【００７６】
また、前記構成では、測長に単一波長のレーザ光を用いた例について説明したが、安定な測定をするために、別の波長を用いることも好ましい。例えば複数の異なる波長のレーザを切り換えて測定を行なう。或いは多波長レーザを用いることができる。
【００７７】
この場合、第一ハーフミラー１４２と第三ハーフミラー１５０の間に補正板（光軸補正手段）１４５を設けることが特に好ましい。
【００７８】
このとき、レーザ光１１５の波長によって、参照鏡１４６，１５２の反射面の傾きを微調整するか、参照鏡１４６，１５２の前段に同様の補正板を設けることも好ましい。
【００７９】
このように複数の異なる波長を用いて測定を行うことにより、単一の波長のみで測定を行った場合に比較し、安定な測定が行える。しかも、第一ハーフミラー１４２と第三ハーフミラー１５０の間に補正板１４５を設けることにより、異なる波長毎に、参照鏡１４６，１５２の反射面の傾きの調整が不要となり、効率的な測定が行える。
【００８０】
また、前記構成では、第一スクリーンで観察された各干渉縞と第二スクリーンで観察された各干渉縞から得られた位相差（ε４−ε３）＋（ε２−ε１）の方向を決めるため、また得られた干渉縞より被測定物端面の平面度を求めるため、参照ミラー１５２（１４６）には、図４（Ａ）に示すような微動機構１９２、或いは同図（Ｂ）に示すような微動機構１９３を設けることが好ましい。
【００８１】
同図（Ａ）に示す微動機構１９２は、駆動部１９４と、駆動回路１９６と、コンピュータ１７２を備える。そして、コンピュータ１７２からの指示が駆動回路１９６に与えられると、駆動回路１９６は参照鏡１５２（１４６）を光軸方向の、図中ｉ方向に微動し、所望の位置に位置決めすることができるように、駆動部１９４の動作を制御する。
【００８２】
同図（Ｂ）に示す微動機構１９３は、参照鏡１５２（１４６）の前段に設置された光学楔１９８と、駆動部２０２と、駆動回路２０４と、コンピュータ１７２を備える。そして、コンピュータ１７２からの指示が駆動回路２０４に与えられると、駆動回路２０４は、光学楔１９８を光軸と直交する方向の、図中ｊ方向に微動し、所望の位置に位置決めすることができるように、駆動部２０２の動作を制御する。
【００８３】
同図（Ａ）に示すような微動機構１９２、或いは同図（Ｂ）に示すような微動機構１９３を設けることにより、第一スクリーンで観察された各干渉縞と第二スクリーンで観察された各干渉縞から得られた位相差（ε４−ε３）＋（ε２−ε１）の方向を正確に決めることができる。或いは得られた干渉縞より被測定物端面の平面度を正確に求めることができる。
【００８４】
【発明の効果】
以上説明したように本発明にかかる測長装置によれば、被測定物の測長軸と一致した光軸を有し、且つ所定離隔距離をおいて配置された第一干渉手段及び第二干渉手段と、前記各干渉手段でそれぞれ形成される干渉光の位相差を観察可能な第一観察手段及び第二観察手段と、を備え、該第一観察手段での基準干渉縞及び測定干渉縞の観察と、第二観察手段での基準干渉縞及び測定干渉縞の観察とを同時に行うこととしたので、従来極めて困難であった高精度な被測定物の相対向する端面間の実際の測長を短時間で及び容易に行える。
また、両側を同時に観測することにより、両側で測定される結果が同じ環境によるものとなり、測定中の環境変化の影響を受けることなく、高精度な測定が行える。
さらに、本発明においては、一の光分割手段により二分割された光のうちの、一方を第一干渉手段及び観察手段の測定に用い、他方を第二干渉手段及び観察手段の測定に用いることにより、測長をより適正に行える。
また、本発明においては、前記各観察手段で観察された干渉縞の位相差を読取る読取手段と、読取られた各干渉縞の位相差、及び被測定物の相対向する端面間の予備値に基づいて、前記被測定物の相対向する端面間の寸法を求める演算手段を備えることにより、測長を短時間で及び容易に得ることができる。
さらに、本発明においては、前記光源は、複数の異なる波長の可干渉光を出射し、前記可干渉光の波長に応じて、光分割手段と干渉手段間の光軸のずれを補正する光軸補正手段を備えることにより、前記測長が安定して行える。
【図面の簡単な説明】
【図１】一般的な測長装置の概略構成の説明図である。
【図２】本発明の一実施形態にかかる測長装置の概略構成の説明図である。
【図３】本発明の一実施形態にかかる測長装置の観察手段で観測された基準干渉縞と測定干渉縞の一例である。
【図４】本発明の一実施形態にかかる測長装置の光学系構成部材の配置の変形例である。
【符号の説明】
１１０  測長装置
１１２  単一波長レーザ（光照射手段、光源）
１１４  コリメータレンズ（光照射手段）
１１５  レーザ光（可干渉光）
１２８  ブロックゲージ（被測定物）
１４４  第二ハーフミラー（第一干渉手段）
１４５  補正板（光軸補正手段）
１４６  第一参照鏡（第一干渉手段）
１４８  第一スクリーン（第一観測手段）
１５０  第三ハーフミラー（第二干渉手段）
１５２  第二参照鏡（第一干渉手段）
１５４  第二スクリーン（第二観測手段）
１７０  第一読取手段
１７２  コンピュータ
１７４  演算手段
１７６  測定データ記憶部
１７８  第二読取手段
１８０  演算情報記憶部
【図１】
0003851160.tif 000004
【図２】
0003851160.tif 000005
【図３】
0003851160.tif 000006
【図４】
0003851160.tif 000007